(57)【特許請求の範囲】
【請求項１】
箱形の装置本体と、装置本体の一面に設けられる開口部と、装置本体内部に収納されて開口部から外部を臨むように配設される液晶パネルと、装置本体内部に収納されて液晶パネルを挟んで開口部と反対側に配設される基板と、基板に設けられて液晶パネルを照明する照明装置と、基板に設けられて周囲の照度を検出する照度センサと、装置本体の開口部が設けられた一面に照度センサと対向する形で貫設されるとともに照度センサに外部からの光を導入する導入孔とを備えた表示装置であって、前記装置本体内部には、導入孔から照度センサの近傍まで延設された透光性を有する材料から成る導光部材が設けられるとともに、少なくとも導光部材及び照度センサの照明装置と対向する部位の周囲を覆う光絶縁材料から成る遮蔽部材が設けられ、前記遮蔽部材は、導光部材の周囲を覆い且つ装置本体の前記一面から外部に露出する形で設けられて基板に実装されるスイッチを操作するための操作部材であって、導光部材と対向する内面全体が不透光性及び光反射性の材料で覆われ、操作部材は弾性を有する材料から成ることを特徴とする表示装置。
【発明の詳細な説明】
【技術分野】
【０００１】
本発明は、表示装置に関する。
【背景技術】
【０００２】
従来から、例えば船舶等に実装されるレーダー装置等の表示装置として、箱形の装置本体の内部に放電灯等の光源から構成される照明装置（所謂、バックライト）と、照明装置からの光が照射される液晶パネルとを備えた表示装置が提供されている。以下、このような表示装置の従来例について説明する。この従来例は、図３（ａ），（ｂ）に示すように、略直方体状の装置本体１００と、装置本体１００の正面に設けられる略矩形状の開口部から露出するアクリル樹脂製の表示部１０１と、装置本体１００の正面に設けられて表示位置の変更や表示の切替等の各種操作を行うためのスイッチ類から成る操作部１０２とから成る。装置本体１００の内部には、図３（ｂ）に示すように、表示部１０１と対向して配設される液晶パネル１０４と、液晶パネル１０４を挟んで表示部１０１と反対側に配設される基板１０７と、基板１０７に設けられて液晶パネル１０４を照明する照明装置１０３とが設けられている。また、基板１０７における照明装置１０３の近傍には、照度を検出する照度センサ１０５が設けられている。而して、装置本体１００の正面に貫設された略円形状の導入孔１０６を介して外部からの光を装置本体１００内部に採り込み、外部からの光の照度を照度センサ１０５で検出することで、例えば外界が暗くなると照明装置１０３を自動的に点灯する等の制御を行うようになっている。
【０００３】
ところで、上記従来例では、図３（ｂ）に示すように、照度センサ１０５が導入孔１０６から液晶パネル１０４及び照明装置１０３の厚み寸法分だけ離れて配置されているので、導入孔１０６に差し込む外部からの光の角度によっては、外部からの光を照度センサ１０５で受光できないという問題があった。そこで、導入孔１０６と照度センサ１０５との間に透光性を有する材料から成る導光部材（図示せず）を配設することで、外部からの光を導光部材を介して照度センサ１０５に到達させることで、外部からの光を入射角に依らず照度センサ１０５で受光できる技術が知られている（例えば、特許文献１，２参照）。
【特許文献１】実用新案登録  第２５６４１１３号公報
【特許文献２】特開２００１−４９７８号公報
【発明の開示】
【発明が解決しようとする課題】
【０００４】
しかしながら、上記従来例では、照度センサ１０５が照明装置１０３の近傍に配置された場合に、外部からの光のみならず照明装置１０３からの光を受光してしまい、外部からの光を正確に検出できずに照度センサ１０５が誤動作する虞があった。
【０００５】
本発明は、上記の点に鑑みて為されたもので、照度センサの誤動作を防ぐことのできる表示装置を提供することを目的とする。
【課題を解決するための手段】
【０００６】
請求項１の発明は、上記目的を達成するために、箱形の装置本体と、装置本体の一面に設けられる開口部と、装置本体内部に収納されて開口部から外部を臨むように配設される液晶パネルと、装置本体内部に収納されて液晶パネルを挟んで開口部と反対側に配設される基板と、基板に設けられて液晶パネルを照明する照明装置と、基板に設けられて周囲の照度を検出する照度センサと、装置本体の開口部が設けられた一面に照度センサと対向する形で貫設されるとともに照度センサに外部からの光を導入する導入孔とを備えた表示装置であって、前記装置本体内部には、導入孔から照度センサの近傍まで延設された透光性を有する材料から成る導光部材が設けられるとともに、少なくとも導光部材及び照度センサの照明装置と対向する部位の周囲を覆う光絶縁材料から成る遮蔽部材が設けられ、前記遮蔽部材は、導光部材の周囲を覆い且つ装置本体の前記一面から外部に露出する形で設けられて基板に実装されるスイッチを操作するための操作部材であって、導光部材と対向する内面全体が不透光性及び光反射性の材料で覆われ、操作部材は弾性を有する材料から成ることを特徴とする。
【発明の効果】
【０００９】
本発明によれば、少なくとも導光部材及び照度センサの照明装置と対向する部位の周囲を覆う光絶縁材料から成る遮蔽部材を設けたので、照明装置からの光が照度センサに届かないようにすることができ、したがって照度センサにおいて外部からの光のみを正確に検出できるため、照度センサの誤動作を防ぐことができる。
【発明を実施するための最良の形態】
【００１０】
以下、本発明に係る表示装置の実施形態について図面を用いて説明する。但し、以下の説明では、図１（ａ）における上下左右を上下左右方向、紙面手前側を前方向、紙面奥側を後方向と定めるものとする。本実施形態は、図２（ａ），（ｂ）に示すように、箱形の装置本体１と、装置本体１の前面に設けられる開口部１１ａと、装置本体１の内部に収納されて開口部１１ａから外部を臨むように配設される液晶パネル２と、装置本体１の内部に収納されて液晶パネル２を挟んで開口部１１ａと反対側に配設されるプリント配線板から成る基板３と、基板３に設けられて液晶パネル２を照明する照明装置４と、基板３に設けられて周囲の照度を検出する照度センサ３ａとから構成される。
【００１１】
装置本体１は、図２（ａ），（ｂ）に示すように、前面を開口した有底円筒状の筒部１０ａ及び該筒部１０ａの前端周縁から外側に向かって突出する略矩形状の板部１０ｂを一体に形成して成るボディ１０と、後面を開口した有底箱形のカバー１１とから成り、各開口面を接ぎ合わせて構成される。カバー１１の前面には、略矩形状の開口部１１ａが貫設されており、開口部１１ａの下側には、後述するスイッチ３ｂの押釦部７ａが挿通される略円形状の丸孔１１ｃが左右方向に沿って複数（図示では４つ）貫設されている。また、左側の２つの丸孔１１ｃの間には、外部からの光を装置本体１の内部に採り込むための略円形状の導入孔１１ｂが貫設されている。カバー１１はボディ１０に結合されるが、結合手段としては、例えば何れか一方に係止部、他方に被係止部を設け、係止部を被係止部に係止するものが考えられる。勿論、結合手段は前記のものに限定される必要は無く、他の結合手段でも構わない。
【００１２】
ボディ１０の板部１０ｂには、図２（ａ）に示すように、略矩形状の基板３が取り付けられており、基板３の前面には、照明装置４が実装されている。照明装置４は、前方向に光を照射する面状光源を有しており、照明装置４の前面に載置された液晶パネル２を後面側から直接照射することで液晶パネル２のバックライトの役割を果たしている。尚、照明装置４の面状光源は、発光ダイオード及び導光板から構成されるもの、冷陰極管及び導光板から構成されるもの、有機ＥＬ素子又は無機ＥＬ素子から構成されるものの何れであっても構わない。また、前記各面状光源は何れも周知であるので、ここでは詳細な説明を省略する。
【００１３】
基板３前面の下側には、カバー１１の丸孔１１ｃと対応する位置に各々スイッチ３ｂが実装されており、該スイッチ３ｂを操作することで液晶パネル２における表示を切り替えることが可能となっている。更に、基板３前面におけるカバー１１の導入孔１１ｂと対応する位置には、外部からの光の照度を検出する照度センサ３ａが実装されている。また、基板３には、図示しないが照明装置４の点灯制御や液晶パネル２の表示の制御を行う制御回路が実装されており、該制御回路と各スイッチ３ｂ、照度センサ３ａとが基板３に設けられた導体パターン（図示せず）によって電気的に接続されている。
【００１４】
液晶パネル２及び照明装置４等が実装された基板３の上面側は、中カバー５によって覆われている。中カバー５は、例えば透光性を有する樹脂材料（本実施形態では、アクリル樹脂）からカバー１１よりも一回り小さい外形寸法で形成され、その前面には液晶パネル２を保護する略矩形状の表示部５ａが設けられている。表示部５ａは、前方向に僅かに突出して形成され、後述する第２の操作部材７の開口部７ｃを介してカバー１１の開口部１１ａに嵌合するようになっている。中カバー５前面の下側には、カバー１１の丸孔１１ｃと対応する位置に各々略円形状の丸孔５ｂが貫設されており、各丸孔５ｂは、カバー１１の丸孔１１ｃの径寸法よりも小さい径寸法で形成されている。中カバー５はボディ１０に結合されるが、結合手段としては、例えば何れか一方に係止部、他方に被係止部を設け、係止部を被係止部に係止するものが考えられる。勿論、結合手段は前記のものに限定される必要は無く、他の結合手段でも構わない。尚、本実施形態では、二色成形によって表示部５ａをアクリル樹脂で、表示部５ａ以外の部位をアクリル樹脂とは別の合成樹脂材料で一体に形成しているが、中カバー５全体をアクリル樹脂で一体に形成しても構わない。
【００１５】
基板３と中カバー５との間には、基板３上の各スイッチ３ｂを覆う第１の操作部材６が設けられている。第１の操作部材６は、例えばゴム等の弾性を有する樹脂材料から長手方向が左右方向に沿った略直方体状に形成され、各スイッチ３ｂと対応する位置には、スイッチ３ｂを押圧するための略円筒状の押釦部６ａがそれぞれ設けられている。押釦部６ａは前方向に突出して形成され、前端部が中カバー５の丸孔５ｂを介して中カバー５の前面側に突出するようになっている。また、カバー１１の導入孔１１ｂと対応する位置には、後述する導光部材８が挿通される導入孔６ｂが貫設されている。尚、本実施形態の第１の操作部材６は、着色を施すことにより光絶縁性を得るようにしている。
【００１６】
中カバー５とカバー１１との間には、中カバー５を覆う第２の操作部材７が設けられている。第２の操作部材７は、第１の操作部材６と同様に、例えばゴム等の弾性を有する樹脂材料から略矩形状に形成され、表示部５ａを挿通させるために表示部５ａの外形寸法と略同一寸法の開口部７ｃが貫設されている。また、第２の操作部材７の下側には、カバー１１の丸孔１１ｃと対応する位置に、第１の操作部材６の押釦部６ａを押圧するための略円筒状の押釦部７ａがそれぞれ設けられている。押釦部７ａは前方向に突出して形成され、前端部がカバー１１の丸孔１１ｃを介して外側に突出するようになっている。而して、外部から押釦部７ａを押圧することで、第１の操作部材６の押釦部６ａを介してスイッチ３ｂが押圧され、各スイッチ３ｂに応じた液晶パネル２の表示制御が行われる。また、カバー１１の導入孔１１ｂと対応する位置には、略円形状の導入孔７ｂが貫設されている。上述のように、前記第１の操作部材６及び該第２の操作部材７を設けることにより、外部から水等が装置本体１の内部に浸入するのを防いでいる。
【００１７】
以下、本発明の要部について図面を用いて説明する。本実施形態では、図１（ｂ）に示すように、中カバー５の後面におけるカバー１１の導入孔１１ｂと対応する位置から後方向に略円錐台状の導光部材８が一体に突設されている。導光部材８は、例えばアクリル樹脂等の透光性を有する樹脂材料から形成され、前端部が第２の操作部材７の導入孔７ｂの後面と略面一に、且つ後端部が照度センサ３ａの近傍に位置するように配設されている。而して、カバー１１の導入孔１１ｂを介して内部に採り込まれた光が導光部材８に入射し、導光部材８の内面で反射しながら照度センサ３ａに到達するので、外部からの光を入射角に依らず照度センサ３ａで検出することができる。
【００１８】
更に、本実施形態では、図１（ｂ）に示すように、導光部材８及び照度センサ３ａの照明装置４と対向する部位の周囲を覆う遮蔽部６ｃを第１の操作部材６と一体に設けている。遮蔽部６ｃは、第１の操作部材６の後面から後方向に突出して形成され、導光部材８の周囲を覆うとともにその後端部が基板３と当接することで、導光部材８及び照度センサ３ａと照明装置４との間を光学的に隔離している。而して、照明装置４からの光が遮蔽部６ｃによって遮られるために、照度センサ３ａでは外部からの光のみを正確に検出することができ、照度センサ３ａの誤動作を防止することができる。
【００１９】
ところで、導光部材８の内部を通過する外部からの光は、上述のように導光部材８の内面で反射しながら照度センサ３ａに到達するが、導光部材８の内面に対して略垂直に入射した光の場合、その殆どが導光部材８の内面で反射せずに導光部材８の外側に出射されるという問題がある。そこで、本実施形態では、遮蔽部６ｃの導光部材８と対向する内周面全体に白色塗料を塗布している。このように構成することで、導光部材８を通過した光を遮蔽部６ｃの前記内周面で反射させ、再度導光部材８内へ戻すことができるので、外部からの光をより確実に照度センサ３ａに到達させることができる。また、仮に照明装置４からの光が遮蔽部６ｃを通過したとしても遮蔽部６ｃの前記内周面で光が反射するため、遮蔽部６ｃによってより確実に照明装置４からの光を遮ることができる。尚、上記遮蔽部６ｃの内面を覆う材料は塗料に限定されるものではなく、不透光性及び光反射性を有する材料であれば例えばアルミテープや白色テープ等の材料でも構わない。
【図面の簡単な説明】
【００２０】
【図１】本発明の表示装置の実施形態を示す図で、（ａ）は前面図で、（ｂ）はＡ−Ａ’線断面矢視図である。
【図２】同上の分解斜視図を示す図で、（ａ）は前側から見た図で、（ｂ）は後側から見た図である。
【図３】従来の表示装置を示す図で、（ａ）は前面図で、（ｂ）はＢ−Ｂ’線一部断面矢視図である。
【符号の説明】
【００２１】
１  装置本体
１０  ボディ
１１  カバー
１１ａ  開口部
２  液晶パネル
３  基板
３ａ  照度センサ
４  照明装置
６ｂ，７ｂ，１１ｂ  導入孔
６  第１の操作部材
６ｃ  遮蔽部
８  導光部材
【図１】
0004871235.tif 000002
【図２】
0004871235.tif 000003
【図３】
0004871235.tif 000004